(57)【要約】【課題】コンクリートの荷重に対して枠板の変形を有効に防止でき、コンクリートスラブの張出し長さが大きくても、枠板を下支えするアングル材の使用を割愛でき、作業者の作業負担の軽減および経費の節減を実現し得るコンクリートスラブを提供する。【解決手段】コンクリートスラブＳは垂直板部２１と水平板部２２とを有する金属製のＬ形の枠板２により囲まれたデッキプレート１１上にコンクリート１０を打設して形成され、コンクリート１０の荷重に対して枠板２の垂直板部２１を内側より引っ張り状態で支える複数の支持体５を有する。各支持体５は、互いに直角をなす第１、第２の各接合端面５１，５２を有する金属板材により形成され、表裏の板面が両側方を向くように縦向きにして、一方の接合端面５１をデッキプレート１１の周縁部が載架される梁３の上面に、他方の接合端面５２を枠板２の垂直板部２１の上端部内面に、それぞれ面接合している。【選択図】図１
2011246922.tif 000002
【特許請求の範囲】
【請求項１】
垂直板部と水平板部とを有する金属製のＬ形の枠板により外周が囲まれたデッキプレート上にコンクリートを打設して形成されるコンクリートスラブであって、コンクリートの荷重に対して前記枠板の垂直板部を内側より引っ張り状態で支える複数の支持体を有し、各支持体は、互いに直角をなす第１、第２の各接合端面を有する金属板材により形成され、表裏の板面が両側方を向くように縦向きにして、一方の接合端面をデッキプレートの周縁部が載架される梁の上面に、他方の接合端面を前記枠板の垂直板部の上端部内面に、それぞれ面接合して成るコンクリートスラブ。
【請求項２】
垂直板部と水平板部とを有する金属製のＬ形の枠板と、枠板により外周が囲まれたデッキプレート上に打設されたコンクリートの荷重に対して前記枠板の垂直板部を内側より引っ張り状態で支える複数の支持体とから成るコンクリート止め機構であって、各支持体は、互いに直角をなす第１、第２の各接合端面を有する金属板材により形成され、表裏の板面が両側方を向くように縦向きにして、一方の接合端面をデッキプレートの周縁部が載架される梁の上面に、他方の接合端面を前記枠板の垂直板部の上端部内面に、それぞれ面接合して成るコンクリート止め機構。
【請求項３】
垂直板部と水平板部とを有する金属製のＬ形の枠板の垂直板部を、その枠板により外周が囲まれたデッキプレート上に打設されたコンクリートの荷重に対して内側より引っ張り状態で支えるためのコンクリート止め用枠板の支持体であって、互いに直角をなす第１、第２の各接合端面を有する金属板材により形成され、表裏の板面が両側方を向くように縦向きにして、一方の接合端面をデッキプレートの周縁部が載架される梁の上面の決められた位置に面接触させたとき、他方の接合端面が前記枠板の垂直板部の上端部内面に面接触するように、長さが設定されて成るコンクリート止め用枠板の支持体。
【請求項４】
前記金属板材は、両端に前記第１、第２の各接合端面を有する真っ直ぐな帯板材であり、各接合端面は長さ方向に対して斜めに形成されている請求項３に記載されたコンクリート止め用枠板の支持体。
【請求項５】
前記金属板材は、一方の接合端面を有する垂直部分と他方の接合端面を有する水平部分とが一体に連なったＬ字状の帯板材であり、各接合端面は長さ方向に対して直角に形成されている請求項３に記載されたコンクリート止め用枠板の支持体。
【請求項６】
前記金属板材は、中間部分が直角に曲がり、垂直部分の表裏各面と水平部分の表裏各面とがそれぞれ連続している請求項５に記載されたコンクリート止め用枠板の支持体。
【請求項７】
前記金属板材は、中間部分が直角方向へ折り返され、垂直部分の表裏各面と水平部分の表裏各面とが折り返し部分でそれぞれ不連続となっている請求項５に記載されたコンクリート止め用枠板の支持体。
【発明の詳細な説明】
【技術分野】
【０００１】
この発明は、デッキプレート上にコンクリートを打設して形成されるコンクリートスラブと、コンクリートスラブの構築に際して打設されたコンクリートがデッキプレート上から流出するのを阻止するためのコンクリート止め機構と、コンクリート止め機構を構成する枠板を支えるためのコンクリート止め用枠板の支持体とに関する。
【背景技術】
【０００２】
コンクリートスラブは、図８に示すように、梁３、３間に架設されたデッキプレート１１上にコンクリート１０を打設することにより構築される。コンクリートスラブの構築に際し、打設されたコンクリート１０がデッキプレート１１上より流出するのを阻止するために、デッキプレート１１の外周に鋼板製のＬ形の枠板２が設けられている（例えば、特許文献１参照）。
【先行技術文献】
【特許文献】
【０００３】
【特許文献１】実開平５−４０４９８号公報
【０００４】
枠板２は、その水平板部２２の先端縁を梁３の上面に溶接により固定することにより取り付けられるが、コンクリートスラブを梁３の外側へ張り出させる場合、枠板２の内側に、鋼棒製の支持体９を一定間隔毎に配設することで、コンクリート１０の荷重に対して枠板２の垂直板部２１を内側より引っ張り状態で支える。各支持体９は、一端部が梁３の上面に溶接され、他端部が枠板２の垂直板部２１の上端部内面に溶接される。コンクリートスラブの張出し長さＬが小さい場合は、枠板２の水平板部２２に作用するコンクリート１０の荷重が小さいため、複数個の支持体９で枠板２の垂直板部２１を内側より引っ張り状態で支えることによって垂直板部２１の外側への倒れおよび水平板部２２の下方へ曲がりが阻止され、その結果、コンクリート１０の荷重による枠２の変形を防止できる。
【発明の概要】
【発明が解決しようとする課題】
【０００５】
しかし、コンクリートスラブの張出し長さＬが大きいと、枠板２の水平板部２２に作用するコンクリート１０の荷重が大きくなるため、水平板部２２はコンクリート１０の荷重を支え切れずに下方へ曲がり、枠２の変形を防止できない。この種の変形を防止するのに、Ｌ形アングル材４により枠板２の水平板部２２を下方より支えることが行われており、これがため、枠板２の設置作業に手数がかかり、作業者の作業負担が増し、材料費のみならず人件費が高くつくなどの問題がある。
【０００６】
この発明は、上記の問題に着目してなされたもので、コンクリートの荷重に対して枠板の変形を有効に防止でき、コンクリートスラブの張出し長さが大きくても、枠板を下支えするアングル材の使用を割愛でき、作業者の作業負担の軽減および経費の節減を実現し得るコンクリートスラブ、コンクリート止め機構、およびコンクリート止め用枠板の支持体を提供することを目的とする。
【課題を解決するための手段】
【０００７】
この発明によるコンクリートスラブは、垂直板部と水平板部とを有する金属製のＬ形の枠板により外周が囲まれたデッキプレート上にコンクリートを打設して形成されるものであり、コンクリートの荷重に対して前記枠板の垂直板部を内側より引っ張り状態で支える複数の支持体を有している。各支持体は、互いに直角をなす第１、第２の各接合端面を有する金属板材により形成され、表裏の板面が両側方を向くように縦向きにして、一方の接合端面をデッキプレートの周縁部が載架される梁の上面に、他方の接合端面を前記枠板の垂直板部の上端部内面に、それぞれ面接合している。
【０００８】
また、この発明によるコンクリート止め機構は、垂直板部と水平板部とを有する金属製のＬ形の枠板と、枠板により外周が囲まれたデッキプレート上に打設されたコンクリートの荷重に対して前記枠板の垂直板部を内側より引っ張り状態で支える複数の支持体とから成るものであり、各支持体は、互いに直角をなす第１、第２の各接合端面を有する金属板材により形成され、表裏の板面が両側方を向くように縦向きにして、一方の接合端面をデッキプレートの周縁部が載架される梁の上面に、他方の接合端面を前記枠板の垂直板部の上端部内面に、それぞれ面接合している。
【０００９】
この発明による上記したコンクリートスラブおよびコンクリート止め機構において、コンクリートスラブの張出し長さが大きい場合、枠板の水平板部にコンクリートの大きな荷重が作用するが、支持体は表裏の板面が両側方を向くように縦向きであり、一方の接合端面が梁の上面に、他方の接合端面が枠板の垂直板部の上端部内面に、それぞれ面接合されて一体化されているので、耐荷重性が大きく、コンクリートの荷重によって枠板の水平板部が下方へ曲がるのが阻止され、枠板の変形が防止される。
【００１０】
この発明によるコンクリート止め用枠板の支持体は、垂直板部と水平板部とを有する金属製のＬ形の枠板の垂直板部を、その枠板により外周が囲まれたデッキプレート上に打設されたコンクリートの荷重に対して内側より引っ張り状態で支えるためのものであり、互いに直角をなす第１、第２の各接合端面を有する金属板材により形成され、表裏の板面が両側方を向くように縦向きにして、一方の接合端面をデッキプレートの周縁部が載架される梁の上面の決められた位置に面接触させたとき、他方の接合端面が前記枠板の垂直板部の上端部内面に面接触するように、長さが設定されている。
【００１１】
この発明による上記したコンクリート止め用枠板の支持体を、表裏の板面が両側方を向くように縦向きにして、一方の接合端面をデッキプレートの周縁部が載架される梁の上面に、他方の接合端面を枠板の垂直板部の上端部内面に、それぞれ面接触させた状態で溶接などにより面接合して一体化する。コンクリートスラブの張出し長さが大きい場合、枠板の水平板部にコンクリートの大きな荷重が作用するが、支持体は表裏の板面が両側方を向く縦向きの姿勢であるので、耐荷重性が大きく、コンクリートの荷重によって枠板の水平板部が下方へ曲がるのが阻止され、枠板の変形が防止される。
【００１２】
この発明によるコンクリート止め用枠板の支持体は、前記金属板材として種々の態様のものが考えられる。金属板材の第１の態様は、両端に前記第１、第２の各接合端面を有する真っ直ぐな帯板材であり、各接合端面は長さ方向に対して斜めに形成されている。また、第２の態様は、一方の接合端面を有する垂直部分と他方の接合端面を有する水平部分とが一体に連なったＬ字状の帯板材であり、各接合端面は長さ方向に対して直角に形成されている。
第１の態様では、コンクリートスラブの張り出し長さに応じて第１、第２の各接合端面の長さ方向に対する角度を変更する必要があるが、第２の態様では、コンクリートスラブの張り出し長さを問わず第１、第２の各接合端面の長さ方向に対する角度は直角で一定であり、変更の必要はない。
【００１３】
上記した第２の態様の金属板材は、中間部分が直角に曲がり、垂直部分の表裏各面と水平部分の表裏各面とがそれぞれ連続しているものであってもよく、中間部分が直角方向へ折り返され、垂直部分の表裏各面と水平部分の表裏各面とが折り返し部分でそれぞれ不連続となっているものであってもよい。
【発明の効果】
【００１４】
この発明によれば、コンクリートの荷重に対して枠板の変形を有効に防止でき、コンクリートスラブの張出し長さが長くても、枠板を下支えするアングル材の使用を割愛でき、作業者の作業負担を軽減しかつ経費を節減し得る。
【図面の簡単な説明】
【００１５】
【図１】この発明の一実施例であるコンクリートスラブを示す一部を省略した断面図である。
【図２】張り出し長さが大きなコンクリートスラブを示す断面図である。
【図３】支持体の取付状態を示す斜視図である。
【図４】他の実施例のコンクリートスラブの断面図である。
【図５】図４の実施例で用いられている枠板支持体の斜視図である。
【図６】他の実施例のコンクリートスラブの断面図である。
【図７】図６の実施例で用いられている枠板支持体の斜視図である。
【図８】従来のコンクリートスラブを示す断面図である。
【発明を実施するための形態】
【００１６】
図１は、この発明の一実施例であるコンクリートスラブＳの構成を示すもので、鋼板製のＬ形の枠板２により外周四方が囲まれたデッキプレート１１上にコンクリート１０が打設されている。図示例のデッキプレート１１は、鋼板上に複数列の鉄筋トラス１２が設けられた鉄筋トラス付きデッキプレートであるが、これに限られるものではない。各枠板２は、打設されたコンクリート１０がデッキプレート１１上から流出するのを阻止するためのもので、互いに直角をなす垂直板部２１と水平板部２２とを一体に備えている。垂直板部２１の上端縁には、コンクリートが溢れ出ないように、曲げ縁部２３が全長にわたって形成されている。
【００１７】
枠板２の垂直板部２１はコンクリートスラブＳのスラブ厚に応じて、また、水平板部２２はコンクリートスラブＳの張り出し長さＬに応じて、それぞれの幅が設定されている。各枠板２は水平板部２２の先端縁が梁３の上面に支持され、複数箇所がスポット溶接されることにより固着されている。この固定状態において、枠板２の水平板部２２は水平であり、前記張り出し長さＬだけ梁３より外方へ張り出している。
【００１８】
各枠板２の内側には、長さ方向に沿って所定の間隔で複数個の支持体５が設置されている。各支持体５は、枠板２とともにコンクリート止め機構６を構成しており、デッキプレート１１上に打設されたコンクリート１０の荷重に対して枠板２の垂直板部２１を内側より引っ張り状態で支えている。
【００１９】
図示例の支持体５は、コンクリートスラブＳの張り出し長さＬに応じた長さと全長にわたり一定の幅とを有する真っ直ぐな帯板材により形成されており、帯板材として厚みが３〜６ｍｍの鋼板が用いられている。図１には、張り出し長さＬが小さいコンクリートスラブＳが、図２には、張り出し長さＬが大きいコンクリートスラブＳが、それぞれ示してあり、その張り出し長さＬに応じた長さの支持体５が設置されている。
【００２０】
各支持体５は、図３に示すように、表裏の板面５ａ，５ｂが両側方を向くように縦向きにして設置されるもので、両端にフラットな接合端面５１，５２を備えている。一方の接合端面５１（以下「第１の接合端面」という。）はデッキプレート１１の周縁部が載架される梁３の上面に、他方のフラットな接合端面５２（以下「第２の接合端面」という。）は枠板２の垂直板部２１の上端部内面に、それぞれ溶接により面接合される。
【００２１】
第１の接合端面５１と第２の接合端面５２とは長さ方向に対して斜めに形成されており、各接合端面５１，５２が互いに直角をなすように各接合端面５１，５２の角度θ１，θ２が設定されている。各支持体５は、表裏の板面５ａ，５ｂが両側方を向くように縦向きにして、第１の接合端面５１をデッキプレート１１の周縁部が載架される梁３の上面の決められた位置に面接触させたとき、第２の接合端面５２が枠板２の垂直板部２１の上端部内面に面接触するように、その長さが設定されるもので、各面接触部分に対して隅肉溶接を施すことにより支持体５の第１、第２の各接合端面５１，５２が対向する面に面接合される。なお、第１、第２の各接合端面５１，５２は、図３に一点鎖線で示すように、帯板材の両端部を直角に屈曲することにより形成してもよい。
【００２２】
図４は、この発明の他の実施例であるコンクリートスラブＳの構成を示しており、枠板２の内側に、上記した実施例と異なる態様の複数個の支持体５が長さ方向に沿って所定の間隔で設置されている。支持体５は枠板２とともにコンクリート止め機構６を構成しており、デッキプレート１１上に打設されたコンクリート１０の荷重に対して枠板２の垂直板部２１を内側より引っ張り状態で支えている。
【００２３】
この実施例の支持体５は、図５に示すように、中間部分が直角に曲がるＬ字状の帯板材により形成されており、垂直部分５３と水平部分５４とが一体に連なり、垂直部分５３の表裏各面と水平部分５４の表裏各面とがそれぞれ連続している。この帯板材は厚みが３〜６ｍｍの鋼板をプレス加工して形成されている。各支持体５は、表裏の板面５ａ，５ｂが両側方を向くように縦向きにして設置されるもので、垂直部分５３と水平部分５４の各先端面はそれぞれフラットな接合端面５１，５２を構成している。一方の接合端面５１（以下「第１の接合端面」という。）はデッキプレート１１の周縁部が載架される梁３の上面に、他方のフラットな接合端面５２（以下「第２の接合端面」という。）は枠板２の垂直板部２１の上端部内面に、それぞれ溶接により面接合される。
【００２４】
第１の接合端面５１と第２の接合端面５２とは長さ方向に対してそれぞれ直角に形成されている。各支持体５は、表裏の板面５ａ，５ｂが両側方を向くように縦向きにして、第１の接合端面５１をデッキプレート１１の周縁部が載架される梁３の上面の決められた位置に面接触させたとき、第２の接合端面５２が枠板２の垂直板部２１の上端部内面に面接触するように、垂直部分５３および水平部分５４の長さがそれぞれ設定されるもので、各面接触部分に対して隅肉溶接を施すことにより支持体５の第１、第２の各接合端面５１，５２が対向する面に面接合される。
なお、第１、第２の各接合端面５１，５２は、図５に一点鎖線で示すように、帯板材の両端部を直角に屈曲することにより形成してもよい。
【００２５】
図６は、この発明の他の実施例であるコンクリートスラブＳの構成を示しており、枠板２の内側に、上記した各実施例と異なる態様の複数個の支持体５が長さ方向に沿って所定の間隔で設置されている。支持体５は枠板２とともにコンクリート止め機構６を構成しており、デッキプレート１１上に打設されたコンクリート１０の荷重に対して枠板２の垂直板部２１を内側より引っ張り状態で支えている。
【００２６】
この実施例の支持体５は、図７に示すように、厚みが３〜６ｍｍの鋼板より成る真っ直ぐな帯板材の中間部分を直角方向に折り返えすことによりＬ字状に形成されている。垂直部分５３と水平部分５４とは一体に連なるが、垂直部分５３の表裏各面と水平部分５４の表裏各面とは折り返し部分５５でそれぞれ不連続となっている。各支持体５は、表裏の板面５ａ，５ｂが両側方を向くように縦向きにして設置されるもので、垂直部分５３と水平部分５４の各先端面はそれぞれフラットな接合端面５１，５２を構成している。第１の接合端面５１はデッキプレート１１の周縁部が載架される梁３の上面に、第２の接合端面５２は枠板２の垂直板部２１の上端部内面に、それぞれ溶接により面接合される。
【００２７】
第１の接合端面５１と第２の接合端面５２とは長さ方向に対してそれぞれ直角に形成されている。各支持体５は、表裏の板面５ａ，５ｂが両側方を向くように縦向きにして、第１の接合端面５１をデッキプレート１１の周縁部が載架される梁３の上面の決められた位置に面接触させたとき、第２の接合端面５２が枠板２の垂直板部２１の上端部内面に面接触するように、垂直部分５３および水平部分５４の長さがそれぞれ設定されるもので、各面接触部分に対して隅肉溶接を施すことにより支持体５の第１、第２の各接合端面５１，５２が対向する面に面接合される。なお、第１、第２の各接合端面５１，５２は、図７に一点鎖線で示すように、帯板材の両端部を直角に屈曲することにより形成してもよい。
【００２８】
上記した支持体５を、表裏の板面５ａ，５ｂが両側方を向くように縦向きにして、第１の接合端面５１をデッキプレート１１の周縁部が載架される梁３の上面に、第２の接合端面５２を枠板２の垂直板部２１の上端部内面に、それぞれ面接触させた状態で溶接などにより面接合して一体化する。コンクリートスラブＳの張出し長さＬが大きいと、枠板２の水平板部２２にコンクリート１０の大きな荷重が作用するが、支持体５は表裏の板面５ａ，５ｂが両側方を向くように縦向きであり、一方の接合端面５１が梁３の上面に面接合されて一体化され、他方の接合端面５２が枠板２の垂直板部２１の上端部内面に面接合されて一体化されているので、耐荷重性が大きく、コンクリート１０の荷重によって枠板２の水平板部２２が下方へ曲がるのが阻止され、枠板２の変形が防止される。
【符号の説明】
【００２９】
２    枠板
３    梁
５    支持体
６    コンクリート止め機構
１０  コンクリート
１１  デッキプレート
２１  垂直板部
２２  水平板部
５１  第１の端面
５２  第２の端面
５３  垂直部分
５４  水平部分
Ｓ    コンクリートスラブ
【図１】
2011246922.tif 000003
【図２】
2011246922.tif 000004
【図３】
2011246922.tif 000005
【図４】
2011246922.tif 000006
【図５】
2011246922.tif 000007
【図６】
2011246922.tif 000008
【図７】
2011246922.tif 000009
【図８】
2011246922.tif 000010